(57)【要約】      （修正有）【課題】使用頻度の高い所定の角度での固定操作が容易に且つスムーズに行うことのできる新規な丸鋸機用角度定規を提供する。【解決手段】丸鋸機の切断ガイドとなる定規部１と、基部を定規部に枢結した基準部を備え、一方に枢結軸を中心とした角度目盛１６を表示し、他方に前記角度目盛りと対応する基準目盛り線２２を設け、角度目盛り形成側に枢決軸中心の長孔１５を形成すると共に、前記長孔に挿通して他方側に螺合する固定ネジ２４を備え、ネジ頭部と他方側とで長孔形成部側を挟圧して両部を固定する丸鋸用角度定規において、所定角度位置に嵌合孔１７を形成し、背面側に位置する部材における嵌合孔と対応する位置に突出孔２６を設け、前記突出孔から突出して嵌合孔に嵌合する係止突起部２７を、背面部材の背面側に固定した片持ち弾性板に設けると共に、背面部材の表面側露出箇所に片持ち弾性板の押圧操作摘み２８を設けてなる。【選択図】図２
0003112806.tif 000002
【実用新案登録請求の範囲】
【請求項１】
丸鋸機の切断ガイドとなる定規部と、基部を定規部に枢結した基準部を備え、一方に枢結軸を中心とした角度目盛りを表示し、他方に前記角度目盛りと対応する基準目盛りを設け、角度目盛り形成側に枢決軸中心の長孔を形成すると共に、前記長孔に挿通して他方側に螺合する固定ネジを備え、ネジ頭部と他方側とで長孔形成部側を挟圧して両部を固定する丸鋸用角度定規において、角度目盛り表示側における所定角度位置に嵌合孔を設け、他方側に、前記嵌合孔と対応する箇所に嵌合孔に嵌合着脱自在とした係止突起部を設けてなることを特徴とする丸鋸機用角度定規。
【請求項２】
定規部に角度目盛りを形成してなる請求項１記載の丸鋸用角度定規。
【請求項３】
嵌合孔を、相対角度が４５度、９０度、１３５度となる位置に設けてなる請求項１又は２記載の丸鋸用角度定規。
【請求項４】
表面側に位置する部材に長孔及び長孔の外周に位置する嵌合孔を形成し、背面側に位置する部材における嵌合孔と対応する位置に突出孔を設け、前記突出孔から突出して嵌合孔に嵌合する係止突起部を、背面部材の背面側に固定した片持ち弾性板に設けると共に、背面部材の表面側露出箇所に片持ち弾性板の押圧操作摘みを設けてなる請求項１乃至３記載の何れかの丸鋸機用角度定規。
【考案の詳細な説明】
【技術分野】
【０００１】
本考案は、丸鋸機用角度定規に関するものである。
【背景技術】
【０００２】
丸鋸機は、矩形のベース板に装着され、木材の切断に際して、定規面（ガイド面）を備えた定規部材（切断用定規部）を使用し、定規面を切断方向に合致させ、ベース板を定規面に添わせて移動させ、所望の方向に切断を行う。
【０００３】
前記の切断において、切断方向が木材のある基準面に対して所定の角度で切断する場合には、従前より角度定規を使用している。角度定規は、丸鋸機の移動ガイド面を備えた定規部に、基部を前記定規部に枢結して回動自在にすると共に、所定の角度で固定できる基準部で構成されているもので、所定の角度（切断角度）で固定した基準部を木材の基準面に当接し、定規部に添って丸鋸機を移動して切断を行うものである。
【０００４】
前記の角度定規は、定規部に、基準部の相対角度位置が確認できる目盛り部と、基準部を所望の角度で固定する固定機構部が備えられており、具体的には、枢結軸を中心とした円弧状長孔を設け、前記円弧状長孔の縁部に角度目盛りが表示され、長孔内から視認される基準部の表面に基準目盛り線が表示されており、さらに基準部には、前記長孔を挿通する固定ネジを装着し、固定ネジの緊締によって定規部を基準部と固定ネジ頭部とて挟圧して固定するようにしているものである（特許文献１，２参照）。
【０００５】
【特許文献１】実開昭５８−３６１０１号公報。
【特許文献２】実開平４−９０５０２号公報。
【考案の開示】
【考案が解決しようとする課題】
【０００６】
ところで、前記した従前の角度定規においては、所望の角度の設定に際して、固定ネジを緩めて、基準部を所定位置まで移動し、その状態で固定ネジを緊締螺合して所望の位置で固定状態として使用するものである。
【０００７】
従って正確な位置に固定するには丁寧な操作で行わないと、僅かではあるが誤差がすぐに生じてしまうので、角度変更操作は煩雑である。
【０００８】
一方当該定規において頻繁に採用されるのは、９０度、４５度、１３５度や、更に３０度や６０度の角度位置である。
【０００９】
そこで本考案は、使用頻度の高い所定の角度での固定操作が容易に且つスムーズに行うことのできる新規な丸鋸用角度定規を提案したものである。
【課題を解決するための手段】
【００１０】
本考案に係る丸鋸用角度定規は、丸鋸機の切断ガイドとなる定規部と、基部を定規部に枢結した基準部を供え、一方に枢結軸を中心とした角度目盛りを表示し、他方に前記角度目盛りと対応する基準目盛りを設け、角度目盛り形成側に枢決軸中心の長孔を形成すると共に、前記長孔に挿通して他方側に螺合する固定ネジを備え、ネジ頭部と他方側とで長孔形成部側を挟圧して両部を固定する丸鋸用角度定規において、角度目盛り表示側における所定角度位置に嵌合孔を設け、他方側に、前記嵌合孔と対応する箇所に嵌合孔に嵌合着脱自在とした係止突起部を設けてなることを特徴とするものである。
【００１１】
而して固定ネジを緩めると、両部が所望の相対角度となるように移動させることができ、従前同様に固定ネジによる挟圧固定で、両部所望位置に固定できると共に、非固定状態で回動し、嵌合孔に係止突起部が嵌合すると、両部が固定されることになる。即ち嵌合孔形成角度においては、固定ネジの緊締挟圧操作を行うことなく所定の角度に固定されることになる。
【考案の効果】
【００１２】
本考案は上記構成を採用したものであるから、多用される特定の角度（例えば９０度、４５度、１３５度等）への移動固定が容易に行うことができ、且つ所望の角度でも固定できるもので、多用される特定角度の角度設定の操作性を向上させ、使い易いようにしたものである。
【考案を実施するための最良の形態】
【００１３】
次に本考案の実施の形態について説明する。実施形態に示した角度定規は、基本的に従前のものと同様に定規部１と基準部２とで構成されている。
【００１４】
定規部１は、丸鋸機の切断ガイドとなる定規面部１１を備え、適宜位置に基準部２の基部を枢結（枢結軸１２）してなり、枢決軸１２を中心に半円状の膨出部１３を張り出し形成し、当該膨出部１３に、枢結軸１２を中心とした円弧状の目盛り用長孔１４と固定用長孔１５を二重に設けてなり、目盛り用長孔１４の縁部に角度目盛り１６を表示してなる。
【００１５】
また特に膨出部１３の外周近傍に、係止用の嵌合孔１７を穿設したもので、当該嵌合孔は、定規面部１１に対して基準部２が４５度、９０度、１３５度となる位置に形成したものである。
【００１６】
基準部２は、定規部１の背面側に位置し、適宜長さの基準部本体２１の基部を枢結して所望の角度に回動可能に設けたもので、目盛り用長孔１４から視認できる箇所に基準目盛り線２２を表示し、材木の基準面に当接する基準面部２３を基準部本体２１の先部に設けると共に、固定ネジ２４を前記固定用長孔１５の表面から挿通して基準部本体２１に螺合し、固定ネジ２４の緊締でネジ頭部と基準部本体２１とで定規部１を挟圧固定するようにしてなる。
【００１７】
特に本考案は、更に前記嵌合孔１７と対応する係止機構部を設けている。係止機構部は、基準部本体２１の背面に片持ち弾性板２５を設け、基準部本体２１の所定箇所（嵌合孔１７と対応する位置）に突出孔２６を穿設し、片持ち弾性板２５に前記突出孔２６から突出して嵌合孔１７に密嵌する係止突起部２７を設け、更に片持ち弾性板２５を撓ませて係止突起部２７を嵌合孔１７から離脱させる押圧操作摘み２８を基準部本体２１の表面に突出状態で露出させてなるものである。
【００１８】
而して前記の角度定規は、従前の角度定規と同様に、基準部２の基準面部２３を材木の基準面に添わせ、定規部１の定規面部１１に添って丸鋸機を移動させると、定規を使用した切断作業を実施できるものである。
【００１９】
切断方向の切り替えは、固定ネジ２４を緩め、定規部１と基準部２の固定を解除し、相対的に回動を可能状態とすることで、基準部２の回動を行うことができるが、特に本実施形態においては、４５度、９０度、１３５度の位置では、当該位置に基準部２を回動すると、片持ち弾性板２５の弾性力で、係止突起部２７が突出孔２６を貫通して嵌合孔１７に密嵌合して、基準部２を当該位置で固定（係止）することになり、また前記の係止解除は、押圧操作摘み２８を押圧して前記密嵌合を解除すればよいので、多用される、４５度、９０度、１３５度の角度設定は容易に行うことができる。
【００２０】
勿論前記の嵌合孔１７を設けていない角度においては、従前の傾斜定規と同様に、固定ネジ２４による固定解除及び挟圧固定によって、所望位置に固定して使用することができるものである。
【００２１】
勿論本考案において、嵌合孔１７の位置は、その他に多用される３０度や６０度に設けるようにしても良い。
【図面の簡単な説明】
【００２２】
【図１】本考案の実施形態の全体の正面図。
【図２】同要部拡大図。
【図３】同係止機構部の断面図。
【符号の説明】
【００２３】
１          定規部
１１        定規面部
１２        枢結軸
１３        膨出部
１４        目盛り用長孔
１５        固定用長孔
１６        角度目盛り
１７        嵌合孔
２          基準部
２１        基準部本体
２２        基準目盛り線
２３        基準面部
２４        固定ネジ
２５        片持ち弾性板
２６        突出孔
２７        係止突起部
２８        押圧操作摘み
【図１】
0003112806.tif 000003
【図２】
0003112806.tif 000004
【図３】
0003112806.tif 000005